(57)【特許請求の範囲】
【請求項１】
ディスク状記録媒体を回転駆動する回転駆動手段と、
上記回転駆動手段により回転駆動される上記ディスク状記録媒体に対して信号の記録及び／又は再生を行う記録再生手段と、
上記回転駆動手段と上記記録再生手段とのうち、何れか一方を他方に対して上記ディスク状記録媒体の径方向に移動可能に支持する支軸を有し、当該支軸の軸方向に沿って一方を送り動作させる送り動作手段と、
上記送り動作手段により上記ディスク状記録媒体の径方向に送り動作される上記一方の少なくとも一部が外方に臨む開口部を有し、当該開口部の周囲に上記支軸の両端部が支持されたシャーシと、
上記シャーシの少なくとも一部と一体に形成されたプラスチックからなり、上記シャーシの上記記録媒体が装着される面とは反対側の面において上記支軸に沿って突出形成されたリブを有する補強手段とを備え、
上記補強手段は、上記リブの中途部に上記支軸と当接される支持部を有することを特徴とする記録再生装置。
【請求項２】
上記シャーシは、上記補強手段と一体に形成されたプラスチックからなることを特徴とする請求項１記載の記録再生装置。
【請求項３】
上記支軸は、回転軸であり、
上記シャーシは、上記回転軸の両端部を軸支すると共に、上記補強手段と一体に形成された一対の軸受部を有し、
上記記録再生手段は、記録又は再生時に上記ディスク状記録媒体の一主面に対してレーザー光を照射する光ピックアップと、当該光ピックアップと対向配置されると共に、記録時に上記ディスク状記録媒体の他主面に対して外部磁界を印加する磁気ヘッドとを有し、
上記回転軸を回転駆動することによって、上記磁気ヘッドを上記ディスク状記録媒体に対して接離可能な方向に移動操作するヘッド移動手段を備えることを特徴とする請求項１記載の記録再生装置。
【発明の詳細な説明】
【０００１】
【発明の属する技術分野】
本発明は、ディスク状記録媒体に対して情報信号の記録及び／又は再生を行う記録再生装置に関する。
【０００２】
【従来の技術】
従来より、ディスクカートリッジの内部に回転可能に収納された光磁気ディスクに対して、音声信号等の情報信号を記録再生することが可能なポータブルディスクプレーヤが知られている。
【０００３】
この種のディスクプレーヤは、装置本体と、この装置本体に開閉可能に設けられた蓋体とを有しており、蓋体を開蓋状態とし、装置本体の内部にディスクカートリッジを挿入した後に、蓋体を閉蓋状態とすることで、光磁気ディスクを装置本体に装着することが可能となっている。一方、ディスクカートリッジを装置本体から取り出す際は、蓋体を開蓋状態とすることで、ディスクカートリッジを装置本体の外部へと排出することが可能となっている。
【０００４】
具体的に、このディスクプレーヤは、ディスクカートリッジが挿脱される挿脱位置と光磁気ディスクが装着される装着位置との間でディスクカートリッジを保持するホルダーと、蓋体が開蓋状態となるときに、ホルダーに保持されたディスクカートリッジを装置本体の外部へと排出するイジェクト機構とを備えている。
【０００５】
また、このディスクプレーヤは、装置本体に装着された光磁気ディスクを回転駆動するディスク回転駆動機構と、このディスク回転駆動機構により回転駆動される光磁気ディスクに対して情報信号の記録再生を行う記録再生機構と、この記録再生機構を光磁気ディスクの径方向に送り動作する送り機構とを備え、これらは、装置本体のメカシャーシに搭載されている。
【０００６】
このうち、ディスク回転駆動機構は、光磁気ディスクが装着されるディスクテーブルと、このディスクテーブルを回転駆動するスピンドルモータとを有している。記録再生機構は、記録又は再生時に光磁気ディスクの一主面に対してレーザー光を照射する光ピックアップと、当該光ピックアップと対向配置されると共に、記録時に光磁気ディスクの他主面に対して外部磁界を印加する磁気ヘッドと、当該磁気ヘッドを光磁気ディスクに対して接離可能な方向に移動操作するヘッド昇降機構とを有している。送り機構は、光ピックアップ及び磁気ヘッドを支持する送りベースと、この送りベースを光磁気ディスクの径方向に移動可能に支持する支軸と、この支軸に沿って送りベースを移動操作する駆動機構とを有している。
【０００７】
以上のように構成されるディスクプレーヤでは、ディスク回転駆動機構により光磁気ディスクが回転駆動されると、送り機構により記録再生機構が光磁気ディスクの径方向に送り動作されながら、記録再生機構により光磁気ディスクに対する情報信号の記録再生が行われる。
【０００８】
【発明が解決しようとする課題】
ところで、上述したディスクプレーヤでは、ディスク回転駆動機構や、記録再生機構、送り機構、特に、記録再生機構として光ピックアップの他に、記録時に光磁気ディスクに対して外部磁界を印加する磁気ヘッドや、当該磁気ヘッドを昇降動作するヘッド昇降機構等をメカシャーシに搭載した構造となっている。
【０００９】
このため、従来のディスクプレーヤでは、メカシャーシを板金により構成して、各機構が動作する際の機械的強度（剛性）を確保していた。
【００１０】
しかしながら、メカシャーシを板金により構成した場合には、重量が嵩むだけでなく、上述した各機構を構成するモータやギヤ等を取り付けるための部品等が必要となる。このため、装置全体の小型化及び軽量化が望まれるポータブルディスクプレーヤでは、部品点数が増加することによって、小型軽量化が困難となると共に、組立工数も増加してしまい、装置全体の製造コストが嵩むといった問題があった。
【００１１】
そこで、本発明はこのような従来の事情に鑑みて提案されたものであり、更なる軽量化を可能とすると共に、部品点数を削減し、組立工数を簡素化することによって、製造コストの低減を可能とした記録再生装置を提供することを目的とする。
【００１２】
【課題を解決するための手段】
この目的を達成するために、本発明に係る記録再生装置は、ディスク状記録媒体を回転駆動する回転駆動手段と、回転駆動手段により回転駆動されるディスク状記録媒体に対して信号の記録及び／又は再生を行う記録再生手段と、回転駆動手段と記録再生手段とのうち、何れか一方を他方に対してディスク状記録媒体の径方向に移動可能に支持する支軸を有し、当該支軸の軸方向に沿って一方を送り動作させる送り動作手段と、送り動作手段によりディスク状記録媒体の径方向に送り動作される一方の少なくとも一部が外方に臨む開口部を有し、当該開口部の周囲に支軸の両端部が支持されたシャーシと、シャーシの少なくとも一部と一体に形成されたプラスチックからなり、シャーシの記録媒体が装着される面とは反対側の面において支軸に沿って突出形成されたリブを有する補強手段とを備え、上記補強手段には、上記リブの中途部に上記支軸と当接される支持部が設けられていることを特徴とする。
【００１３】
以上のように、本発明に係る記録再生装置では、補強手段が、シャーシの少なくとも一部と一体に形成されたプラスチックからなると共に、支軸に沿って突出形成されたリブを有することから、シャーシの剛性が低下する開口部の周囲に支軸の両端部が支持される場合であっても、当該シャーシを補強することができ、当該支軸の軸方向に沿って回転駆動手段又は記録再生手段を適切に送り動作することができる。
【００１４】
また、シャーシをプラスチックにより補強手段と一体に形成すれば、更なる軽量化が可能であると共に、シャーシが金属からなる場合に比べて、回転駆動手段や記録再生手段等を取り付けるための部品等を従来よりも削減することができ、組立工数も簡素化することができる。
【００１５】
【発明の実施の形態】
以下、本発明の実施の形態について図面を参照して詳細に説明する。
【００１６】
本発明の実施の形態として図１に示すポータブルディスクプレーヤ（以下、ディスクプレーヤという。）１は、矩形扁平状を呈するディスクカートリッジの内部に収納された約６４ｍｍの光磁気ディスクに対して音声信号を録音（記録）又は再生することが可能な記録再生装置（電子機器）であり、小型軽量化することで携帯可能としたものである。
【００１７】
ここで、ディスクカートリッジは、上シェルと下シェルとにより構成されるカートリッジ本体の内部に、光磁気ディスクが回転可能に収納されており、上シェル及び下シェルの互いに対向する面には、それぞれ光磁気ディスクの一部が内外周に亘って外方に臨む記録再生用の開口部が形成されている。また、このカートリッジ本体には、記録再生用の開口部を開閉するシャッタ部材がスライド可能に取り付けられている。また、このカートリッジ本体には、シャッタ部材が閉塞状態となるときに、シャッタ部材のスライドを係止するロック片が係止位置と非係止位置との間で揺動可能に設けられている。また、光磁気ディスクの中心部には、チャッキングプレートが取り付けられており、下シェルには、このチャッキングプレートが外方に臨む駆動用の開口部が形成されている。
【００１８】
このディスクプレーヤ１は、図１及び図２に示すように、装置本体２と、この装置本体２に対して開閉可能に設けられた蓋体３とを備えている。
【００１９】
装置本体２は、蓋体３が開蓋状態となるときに、装置本体２のディスクカートリッジが挿脱される挿脱位置と、蓋体３が閉蓋状態となるときに、装置本体の光磁気ディスクが装着される装着位置との間でディスクカートリッジを保持するホルダー４と、このホルダー４を挿脱位置と装着位置の間で移動可能に支持するメカシャーシ５と、このメカシャーシ５を支持すると共に、ホルダー４を挿脱位置と装着位置の間で移動可能に支持するセットシャーシ６と、このセットシャーシ６に保持された配線基板７とを有し、これらは、蓋体３が閉塞状態となるときに、蓋体３と一対のケース体を構成する筐体８の内部に収納されている。
【００２０】
また、装置本体２は、内部電源として一次電池又は二次電池を搭載することが可能となっている。このため、セットシャーシ６には、これらの電池が収納される電池ケース９が取り付けられており、筐体８には、この電池ケース９が外方に臨む電池蓋１０が開閉可能に取り付けられている。なお、電池ケース９の両端部に取り付けられた±電極端子（図示せず。）は、配線基板７と電気的接続されている。
【００２１】
また、装置本体２は、外部電源（ＡＣアダプタ）と接続されることによって、外部電源からの電力の供給、並びに内部電源への充電が可能となっている。特に、このディスクプレーヤ１では、外部電源の充電プラグが筐体８の底面部に設けられた外部用の充電ジャック１１に差し込まれるのとは別に、外部電源の充電プラグと接続された充電スタンド２００の受け部２００ａに、ディスクプレーヤ１が位置決めされた状態で載置されることによって、外部電源との接続が可能となっている。
【００２２】
このため、筐体８の底面部には、上述した外部用の充電ジャック１１とは別に、充電スタンド２００の受け部２００ａから突出する充電プラグ（図示せず。）と接続されるスタンド用の充電ジャック１２が設けられている。具体的に、これらの充電ジャック１１，１２は、充電プラグが挿脱されるプラグ挿脱口１１ａ，１２ａが筐体８に穿設された開口部１１ｂ，１２ｂから外部に臨むように、配線基板７上の端縁部に沿って取り付けられている。
【００２３】
なお、このディスクプレーヤ１では、内部電源が一次電池か二次電池かを自動的に判別して、電池ケース９に二次電池が搭載されたときのみ充電が行われる仕組みとなっている。このため、装置本体２には、外部電源の充電プラグ又は充電スタンド２００の充電プラグが外部用の充電ジャック１１又はスタンド用の充電プラグ１２に差し込まれることによって、内部電源と外部電源との切換を機械的に行うスイッチング機構、並びに一次電池か二次電池かを判別して、内部電源に対する充電状態と非充電状態との切換を電気的に行う電子回路等が設けられている。
【００２４】
また、装置本体２には、筐体８の側面部に位置して、出力側(LINE OUT)として、イヤフォンやスピーカ等と接続される出力ジャック１３や、入力側(LINE IN)として、周辺機器と光ケーブルによって光学的に接続されるオプティカルジャック１４、周辺機器と配線ケーブルによって電気的に接続される入力ジャック１５、ＵＳＢ(Universal Serial Bus)ジャック１６等が設けられている。そして、これらのジャック１３，１４，１５，１６は、プラグが挿脱されるプラグ挿脱口１３ａ，１４ａ，１５ａ，１６ａが筐体８に穿設された開口部１３ｂ，１４ｂ，１５ｂ，１６ｂから外部に臨むように、配線基板７上の端縁部に沿って取り付けられている。また、筐体８には、ＵＳＢジャック１６のプラグ挿脱口１６ａを保護する保護キャップ１７が開閉可能に取り付けられている。
【００２５】
一方、蓋体３には、録音や再生、編集、音量調節等の各種操作を行うための操作ボタン１８，１９，２０や操作スイッチ２１，２２、動作状況や内部電源の電力残量等を表示するための液晶表示パネル２３等が設けられている。
【００２６】
ホルダー４は、図２及び図３に示すように、板金からなり、ディスクカートリッジの上シェルと対向する天板部４ａと、この天板部４ａの両側縁部からディスクカートリッジの両側面部を保持する一対の側板部４ｂ，４ｃと、これら一対の側板部４ｂ，４ｃに保持されて挿入されたディスクカートリッジを受け止める底板部４ｄとを有し、これらが一体に形成されることによって、ディスクカートリッジに対応した内形形状とされている。そして、このホルダー４は、一対の側板部４ｂ，４ｃの底板部４ｄ側の端部に支軸２４を有し、これら支軸２４がメカシャーシ５に設けられた一対の軸受部２５に軸支されることによって、メカシャーシ５の主面に対して上記挿脱位置と上記装着位置との間で揺動可能に支持されている。
【００２７】
また、このホルダー４の天板部４ａには、ホルダー４に保持されたディスクカートリッジをメカシャーシ５の主面側へと押圧する第１の板バネ部２６と、上述した操作ボタン１８，１９，２０や操作スイッチ２１、液晶表示パネル２３等が取り付けられた配線基板（図示せず。）を蓋体３側へと押圧する第２の板バネ部２７及び第３の板バネ部２８とが弾性変位可能な状態で突出形成されている。これら第１乃至第３の板バネ部２６，２７，２８は、その周囲が打ち抜かれ、押圧する方向に折り曲げられることによって、天板部と一体に形成されている。さらに、この天板部４ａには、ディスクカートリッジの記録再生用の開口部に対応したヘッド用の開口部２９が形成されている。
【００２８】
そして、このホルダー４には、ディスクカートリッジのシャッタ部材を開閉するためのシャッタ開閉機構３０が設けられている。
【００２９】
具体的に、このシャッタ開閉機構３０は、一方の側板部４ｂに、ホルダー４に挿入されるディスクカートリッジのシャッタ部材に対するロック片の係止状態を解除するロック解除片３１と、このロック解除片によりロック片の係止状態が解除されたシャッタ部材と係合される弾性変位片３２とを有している。
【００３０】
ロック解除片３１は、一方の側板部４ｂの一部が折り曲げられることによって、ホルダー４の内方に向かって突出形成されている。
【００３１】
弾性変位片３２は、その周囲が打ち抜かれることによって、一方の側板部４ｂと一体に形成されており、ディスクカートリッジのシャッタ部材と係合されるように、先端部の一部がホルダー４の内方に向かって突出した折り曲げ形状を有している。
【００３２】
また、このホルダー４には、蓋体３が開蓋状態となるときに、ディスクカートリッジを装置本体２の外部へと排出するためのイジェクト機構３３が設けられている。
【００３３】
このイジェクト機構３３は、図２，図３及び図４に示すように、ホルダー４の天板部４ａに回動可能に支持されたイジェクトレバー３４と、このイジェクトレバー３４を回動方向の一方側へと付勢する付勢手段である引張りコイルバネ３５とを有している。
【００３４】
イジェクトレバー３４は、長尺状の平板部材からなり、一端と他端との間が天板部４ａの他方側板部４ｃ及び底板部４ｄ側のコーナー部近傍に設けられた支軸３６を介して回動可能に支持されている。
【００３５】
また、このイジェクトレバー３４は、一端に天板部４ａに形成されたガイドスリット３８を通してホルダー４の内方へと折り曲げられた押圧片部３７と、他端に天板部４ａと当接される支点凸部３９とを有している。このうち、ガイドスリット３８は、天板部４ａの底板部４ｄ側の端部からディスクカートリッジの挿入方向の中途部に亘って略円弧状に穿設されており、押圧片部３７は、イジェクトレバー３４が回動することによって、このスリット３８内を移動することが可能となっている。
【００３６】
引張りコイルバネ３５は、一端部３５ａがイジェクトレバーの他端側に形成された第１の掛止片４０に掛止されると共に、他端部３５ｂが支点凸部３９に対して第１の掛止片４０とは反対側の天板部４ａに形成された第２の掛止片４１に掛止されることによって、押圧片部３７がディスクカートリッジを排出する方向に押圧するように、イジェクトレバー３４を回動方向の一方側へと付勢している。
【００３７】
また、この引張りコイルバネ３５は、図５に示すように、一端部３５ａ側に線状部分が設けられ、一端部３５ａよりも他端部３５ｂが天板部４ａに近接する位置に掛止されている。したがって、このイジェクトレバー３４は、引張りコイルバネ３５の付勢力によって、支点凸部３９を支点として一方がホルダー４の天板部４ａに対して近接し且つ他方がホルダー４の天板部４ａに対して離間する方向に傾けられている。
【００３８】
また、このイジェクト機構３３は、図３及び図４に示すように、引張りコイルバネ３５に付勢されたイジェクトレバー３４の一方側への回動を係止するレバーロック機構４２を有している。
【００３９】
このレバーロック機構４２は、イジェクトレバー３４の一方に設けられた被係止片部４３と、ホルダー４の天板部４ａに設けられた係止凸部４４とにより構成されている。このうち、被係止片部４３は、支点凸部３９から引張りコイルバネ３５の他端部３５ｂ側に向かって突出形成されている。一方、係止凸部４４は、天板部４ａからイジェクトレバー３４に向かって突出形成されており、被係止片部４３と摺接されると共に、イジェクトレバー３４の回動方向の他方側に向かって立ち上がる傾斜面部４４ａと、この傾斜面部４４ａの他方側の端部にて被係止片部４３を係止する係止面部４４ｂとを有している。
【００４０】
また、このイジェクト機構３３は、図３，図４及び図５に示すように、上述したレバーロック機構４２の被係止片部４３と係止凸部４４との係止状態を解除するレバーロック解除機構４５を有している。
【００４１】
このレバーロック解除機構４５は、イジェクトレバー３４の他方に設けられたロック解除片部４６と、メカシャーシ５に取り付けられたラチェット板４７とにより構成されている。このうち、ロック解除片部４６は、支点凸部３９に対して被係止片部４３とは反対側、すなわちホルダー４の他方側板部４ｃに向かって突出形成されていると共に、他方側板部４ｃに沿って折り曲げられ、先端部が他方側板部４ｃよりもやや外側に突出した形状を有している。ラチェット板４７は、メカシャーシ５の側端部からホルダー４の他方側板部４ｃに沿って折り曲げられ、先端部がロック解除片部４６の先端部と当接されるように屈曲した形状を有している。
【００４２】
メカシャーシ５は、図２及び図６に示すように、上述したホルダー４と共にディスクカートリッジが収納される収納空間を構成する。このため、メカシャーシ５のホルダー４と対向する主面には、ディスクカートリッジの位置決めを行う複数の位置決めピン４８が突出形成されている。なお、ディスクカートリッジには、これら複数の位置決めピン４８に対応した位置決め凹部（図示せず。）が設けられている。また、このメカシャーシ５には、上述したホルダー４のヘッド用の開口部２９と対向する位置に、ピックアップ用の開口部４９が形成されている。
【００４３】
そして、このメカシャーシ５には、ディスクカートリッジの内部に収納された光磁気ディスクを回転駆動するディスク回転駆動機構５０と、このディスク回転駆動機構５０により回転駆動された光磁気ディスクに対して情報信号の記録又は再生を行う記録再生機構５１と、この記録再生機構５１を光磁気ディスクの径方向に送り動作する送り機構５２とが設けられている。
【００４４】
ディスク回転駆動機構５０は、メカシャーシ５の略中央部に取り付けられたスピンドルモータ５３と、このスピンドルモータ５３の回転軸（図示せず。）に取り付けられたディスクテーブル５４とを有している。なお、ディスクテーブル５４には、永久磁石が設けられており、ディスクカートリッジが装置本体２に収納されたときに、光磁気ディスクのチャッキングプレートが永久磁石に吸着されることによって、この光磁気ディスクがディスクテーブル５４上に装着される。
【００４５】
記録再生機構５１は、記録又は再生時に光磁気ディスクの一主面に対してレーザー光を照射する光ピックアップ５５と、この光ピックアップ５５と対向配置されると共に、記録時に光磁気ディスクの他主面に対して外部磁界を印加する磁気ヘッド５６とを有している。
【００４６】
光ピックアップ５５は、図示を省略するが、光磁気ディスクに対してレーザー光を照射するための光学系を有しており、光磁気ディスクと対向する面には、この光学系から照射されるレーザー光を光磁気ディスクの信号記録面上に集光させる対物レンズが設けられている。また、この光ピックアップ５５は、対物レンズを当該対物レンズの光軸方向及び当該対物レンズの光軸方向と略直交する方向に変位させる二軸アクチュエータを有している。
【００４７】
磁気ヘッド５６は、光磁気ディスクを介して光ピックアップの対物レンズと対向配置されるように、ヘッド取付アーム５７の先端部に取り付けられている。このヘッド取付アーム５７は、弾性変位可能な材料からなり、ホルダー４のヘッド用の開口部２９に向かって僅かに折り曲げられている。そして、この磁気ヘッド５６は、後述するヘッド昇降機構７８により記録時のみ光磁気ディスクの光ピックアップと対向する面とは反対側の面に接触又は近接するようになされている。
【００４８】
送り機構５２は、光ピックアップ５５を支持すると共に、連結アーム５８を介して磁気ヘッド５６を支持する送りベース５９と、この送りベース５９を光磁気ディスクの径方向に移動可能に支持する一対の主軸６０及び副軸６１とを有している。
【００４９】
送りベース５９は、光ピックアップ５５がメカシャーシ５のピックアップ用の開口部４９から外方に臨むように配置されており、光磁気ディスクの径方向と互いに略平行に配置された一対の主軸６０及び副軸６１に沿って開口部４９内を移動可能に支持されている。具体的に、この送りベース５９には、主軸６０に挿通されるガイド孔６４が穿設された支持部６２と、副軸６１を挟み込む一対の支持片部６３とが突出形成されている。
【００５０】
主軸６０は、スクリューネジであり、両端部がメカシャーシ５に形成された一対の軸受部に挿通されることによって、軸回りに回転可能に支持されている。また、この主軸６０は、送りベース５９を光磁気ディスクの径方向に移動可能に支持すると共に、当該光磁気ディスクの径方向に移動操作させる駆動機構を構成している。
【００５１】
具体的に、この駆動機構は、スクリューネジ６０と、このスクリューネジ６０と係合される弾性部材６５とを有している。
【００５２】
スクリューネジ６０は、メカシャーシ５に取り付けられた駆動モータ６６により回転駆動される。すなわち、スクリューネジ６０の一端と駆動モータ６６の回転軸との間には、複数のギヤ群６７が配設されており、これら複数のギヤ群６７により駆動モータ６６の駆動力が調節されながら、スクリューネジ６０が回転駆動される。
【００５３】
弾性部材６５は、金属等の弾性変位可能な材料からなり、送りベース５９の支持部６２に基端部がネジ止め等により固定されて取り付けられている。この弾性部材６５は、支持部６２の一部が切り欠かれて外部に臨むスクリューネジ６０の外周面を先端部が押圧しながら係合されている。
【００５４】
この駆動機構では、スクリューネジ６０が駆動モータ６６により回転駆動されると、このスクリューネジ６０と弾性部材６５との係合により、弾性部材６５がスクリューネジ６０の軸方向に移動する。これにより、送り機構５２では、送りベース５９が光磁気ディスクの径方向に送り動作される。
【００５５】
副軸６１は、回転軸であり、両端部がメカシャーシ５に形成された一対の軸受部に挿通されることによって、軸回りに回転可能に支持されている。また、この副軸６１は、送りベース５９を光磁気ディスクの径方向に移動可能に支持すると共に、上述した磁気ヘッド５６を光磁気ディスクに対して接離可能な方向に移動操作するヘッド昇降機構７８を構成している。
【００５６】
具体的に、ヘッド昇降機構７８は、図３，図４及び図６に示すように、回転軸６１と、この回転軸６１が回転することによりスライド操作されるカムレバー８０と、このカムレバーがスライドすることにより昇降操作されるヘッド昇降板８１とを有している。
【００５７】
回転軸６１は、メカシャーシ５に取り付けられた駆動モータ６８により回転駆動される。すなわち、回転軸６１の一端と駆動モータ６８の回転軸との間には、複数のギヤ群６９が配設されており、これら複数のギヤ群６９により駆動モータ６８の駆動力が調節されながら、回転軸６１が回転駆動される。また、この回転軸６１の他端には、メカシャーシ５の一側面部に臨むピニオンギヤ７９が取り付けられている。
【００５８】
カムレバー８０は、長尺状の平板部材からなり、その両端部には、長手方向に沿って一対のガイド孔８２が形成されている。一方、メカシャーシ５の一側面部には、長手方向の両端部に一対のガイドピン８３が突出形成されており、これら一対のガイドピン８３がカムレバー８０の一対のガイド孔８２に係合されている。これにより、カムレバー８０は、メカシャーシ５の一側面部に沿ってスライド可能に支持されている。
【００５９】
また、このカムレバー８０には、上述したピニオンギヤ７９と噛合されるラック部８４が形成されている。したがって、このカムレバー８４は、回転軸６１が回転することによって、ラック部８４とピニオンギヤ７９との噛合によりスライド操作される。
【００６０】
また、このカムレバー８０には、カム部８５がホルダー４の天板部４ａに向かって突出形成されている。このカム部８５は、ディスクカートリッジの排出方向に沿って立ち上がる傾斜面部を有している。
【００６１】
ヘッド昇降板８１は、上述したヘッド取付アーム５７を光磁気ディスクの径方向に沿って支持する支持板部８６と、この支持板部８６を揺動可能に支持する一対の支持片部８７と、上述したカムレバー８０のカム部８５と当接されるカム当接片部８８とを有している。
【００６２】
支持板部８６は、ヘッド取付アーム５７と略直交するホルダー４のヘッド用の開口部２９に沿って配置されている。また、この支持板部８６は、ヘッド取付アーム５７の弾性力によりホルダー４のヘッド用の開口部２９に向かって押圧されている。
【００６３】
一対の支持片部８７は、支持板部８６の両端部からディスクカートリッジの挿入方向に沿って突出形成されており、その先端部がホルダー４の天板部４ａに軸支されている。これにより、ヘッド昇降板８１は、ヘッド用の開口部２９を通して光磁気ディスクと接離可能な方向に揺動可能に支持されている。
【００６４】
カム当接片部８８は、支持板部８６のカムレバー８０側の端部からカム部８５に向かって突出形成されている。
【００６５】
また、ホルダー４の天板部４ａには、このヘッド昇降板８１を光磁気ディスクと離間する方向に押圧する弾性変位片８９が形成されている。この弾性変位片８９は、その周囲が打ち抜かれることによって、天板部４ａと一体に形成されており、ヘッド昇降板８１の支持板部８６と当接されるように、先端部がホルダー４の外方に向かって折り曲げられている。
【００６６】
このヘッド昇降機構７８では、駆動モータ６８により回転軸６１が一の方向に回転駆動されると、ラック部８４とピニオンギヤ７９との噛合によりカムレバー８０がディスクカートリッジの排出方向にスライドする。このとき、ヘッド昇降板８１のカム当接片部８８は、カム部８５の傾斜面部と摺接しながら、カムレバー８０に対して相対的に挿入方向へと移動する。これに伴って、ヘッド昇降板８１は、ホルダー４のヘッド用の開口部２９に向かって揺動し、ヘッド取付アーム５７の先端部に取り付けられた磁気ヘッドがヘッド用の開口部２９を通して光磁気ディスクと近接する方向に移動（降下）する。これにより、記録時には、磁気ヘッド５６をディスクカートリッジの開口部から外方に臨む光磁気ディスクに接触又は近接させることができる。なお、このヘッド昇降機構７８では、駆動モータ６８により回転軸６１が他の方向に回転駆動されると、上述した動作の逆の動作によって、磁気ヘッド５６が上昇し、再び元の位置へと戻される。
【００６７】
ところで、メカシャーシ５は、図７に示すように、略矩形平板状にモールド成形されたプラスチック等の樹脂からなる。このため、板金とは異なり様々な形状とすることが可能であり、また、強度が必要な箇所にはリブ等が設けることによって補強がなされている。
【００６８】
また、このメカシャーシ５には、補強用のリブを利用して、上述した駆動モータ６６やスピンドルモータ５３が嵌合される嵌合孔７０，７１や、上述した駆動モータ６８が嵌合される嵌合凹部７２、上述したギヤ群６９を軸支する一対の軸受部７３等が一体に形成されている。
【００６９】
この場合、これらの部品をメカシャーシ５の所定の位置に組み込んだ後に、押え板７４，７５をネジ止め等により取り付けることで、容易に組み付けることが可能となっている。
【００７０】
また、このメカシャーシ５には、副軸（回転軸）６１に沿って突出形成された補強手段であるリブ７６と、このリブ７６の中途部に副軸６１と当接される支持部７７とが設けられている。
【００７１】
これにより、開口部４９の周囲に副軸６１の両端部が軸支されることで、メカシャーシ５の剛性が低下する場合であっても、このメカシャーシ５を強固に補強することが可能であり、回転軸６１の回転によりメカシャーシ５にたわみが生じるのを防止することが可能となっている。
【００７２】
なお、本例では、メカシャーシ５全体がモールド成形されたプラスチックからなる構成となっているが、メカシャーシ５の一部がモールド成形されたプラスチックからなる構成としてもよい。
【００７３】
セットシャーシ６は、図２に示すように、板金からなり、メカシャーシ５及び配線基板７を支持する枠体９０と、ホルダー４を挿脱位置と装着位置の間で移動可能に支持する一対の支持アーム９１とを有している。
【００７４】
枠体９０は、ホルダー４の両側板部４ｂ，４ｃ及び底板部４ｃに対応した全体略コ字状を呈しており、両先端部を連結するように、上述した電池ケース９がネジ止め等により取り付けられることで、メカシャーシ５及び配線基板７に対応した形状となっている。そして、この枠体９０には、メカシャーシ５及び配線基板７がネジ止め等により取り付けられた後に、筐体８がネジ止め等により取り付けられる。
【００７５】
一対の支持アーム９１は、ホルダー４の両側板部４ｂ，４ｃに対応した平板部材からなり、基端部が枠体９０の底面部側に軸支されることによって、蓋体３が開蓋状態となる位置と閉蓋状態となる位置との間で揺動可能に支持されている。また、枠体９０と一対の支持アーム９１との間には、それぞれ捻りコイルバネ９２が掛止されており、一対の支持アーム９１が枠体９０から離間する方向に付勢されている。そして、この一対の支持アーム９１には、ホルダー４がネジ止め等により取り付けられた後に、蓋体３が取り付けられる。したがって、ホルダー４は、上述した捻りコイルバネ９２の付勢力により開蓋状態となる方向に付勢されている。
【００７６】
そして、このディスクプレーヤ１は、図８に示すように、装置本体２（筐体８）に対して蓋体３を開閉させるためのオープンロック機構９３を有している。
【００７７】
このオープンロック機構９３は、筐体８側に、第２の係合部材であるオープンスライダー９４と、蓋体３側に、第１の係合部材であるオープンロッカー９５とを有している。
【００７８】
オープンスライダー９４は、図１及び図８に示すように、長尺状の平板部材からなり、その両端部には、長手方向に沿って一対のガイド孔９７が形成されている。一方、筐体８の内側面には、一対のガイドピン９８が突出形成されており、これら一対のガイドピン９８がオープンスライダー９４の一対のガイド孔９７に係合されている。これにより、オープンスライダー９４は、筐体８のディスクカートリッジが挿脱される側の内側面に沿ってスライド可能に支持されている。
【００７９】
また、このオープンスライダー９４には、オープンロッカー９５と係合される係合片９６が蓋体３側に向かって突出形成されており、その先端部がスライド方向の一方側に折り曲げられた形状を有している。
【００８０】
また、このオープンスライダー９４の一端には、図示を省略する引張りコイルバネの一端が掛止されており、この引張りコイルバネの他端が筐体８の内側面に掛止されている。したがって、オープンスライダー９４は、この引張りコイルバネの弾性力によって、スライド方向の一方側へと付勢されている。
【００８１】
また、このオープンロック機構９３は、ロック解除機構として、図示を省略するが、筐体８の内側面にスライド可能に支持された作動部材を有し、この作動部材の一端が筐体８の一側面部から外部に臨むと共に、他端がオープンロッカー９５と係合されている。また、この作動部材の一端には、解除ボタンが取り付けられており、この解除ボタンは、筐体８の内側面に片持ち支持された弾性変位片により支持されている。したがって、このオープンロック機構９３では、解除ボタンを押圧することで、作動部材がオープンスライダー９４を引張りコイルバネの付勢に抗してスライド方向の他方側へとスライドすることになる。
【００８２】
オープンロッカー９５は、図１，図８及び図９に示すように、蓋体３のディスクカートリッジが挿脱される側の内側面（以下、第１の面３ａという。）に固定される第１の固定片９５ａと、この第１の面３ａと直交する蓋体３の底面（以下、第２の面３ｂという。）に固定される第２の固定片９５ｂとを有し、これらが断面略Ｌ字状に一体に形成された金属部材からなる。
【００８３】
このうち、第１の固定片９５ａには、第１の面３ａと当接する面に長手方向に沿って複数の突起部１００が突出形成されている。一方、第２の固定片９５ｂには、第２の面３ｂと当接する面に長手方向に沿って複数の孔部１０１が穿設されている。
【００８４】
また、このオープンロッカー９５には、上述したオープンスライダー９４の係合片９６と係合される切欠部９９が、第１の固定片９５ａから第２の固定片９５ｂの中途部に亘って切り欠き形成されており、この切り欠かれた第１の固定片９５ａの一部がオープンスライダー９４のスライド方向の他方側に向かって突出した形状を有している。
【００８５】
ここで、オープンロッカー９５は、図１０に示すように、蓋体３が板金等の金属からなる場合には、蓋体３の第１の面３ａに穿設された複数の貫通孔１０２に第１の固定片９５ａの複数の突起部１００が係合されて、かしめられることによって、蓋体３に強固に取り付けることが可能である。
【００８６】
一方、このオープンロッカー９５は、図１１に示すように、蓋体３がプラスチック等の樹脂からなる場合には、蓋体３の第１の面３ａに穿設された複数の貫通孔１０２に第１の固定片９５ａの複数の突起部１００が係合されることによって、蓋体３に対する位置決めが行われると共に、蓋体３の第２の面３ｂに形成された複数のネジ孔部１０３に第２の固定片９５ｂに形成された複数の孔部１０１を通してネジ１０４がそれぞれ螺合されることによって、蓋体３に強固に取り付けることが可能である。
【００８７】
また、蓋体３がプラスチック等の樹脂からなる場合には、図１２に示すように、蓋体３の第１の面３ａに穿設された複数の貫通孔１０２に第１の固定片９５ａの複数の突起部１００を係合し、蓋体３に対するオープンロッカー９５の位置決めを行うと共に、第２の固定片９５ｂを上述したセットシャーシ６に固定された配線基板７と当接させることによって、第１の固定片９５ａを蓋体３の第１の面３ａに押圧させた状態で、オープンロッカー９５を蓋体３に強固に取り付けることも可能である。
【００８８】
したがって、このディスクプレーヤ１では、蓋体３の材質によらずに、オープンロッカー９５を蓋体３に確実に固定することが可能であり、部品を共通化することによって、製造コストやサービスコスト等を低減することが可能となっている。また、このディスクプレーヤ１では、上述した蓋体３の複数の貫通孔１０２にオープンロッカー９５の複数の突起部１００が係合されることから、蓋体３の材質によらずデザインを共通化することが可能である。
【００８９】
なお、オープンロッカー９５を蓋体３に固定する際には、オープンロッカー９５の第１の固定片９５ａに穿設された複数の貫通孔に、蓋体３の第１の面３ａに形成された複数の突起部が係合された構成とすることも可能である。
【００９０】
このオープンロック機構９３では、蓋体３を開蓋状態から捻りコイルバネ９２の付勢に抗して閉蓋状態とすることによって、蓋体３に固定されたオープンロッカー９５の切欠部９９と、筐体８にスライド可能に支持されたオープンスライダー９４の係合片９６とが当接された状態となり、引張りコイルバネの付勢に抗してオープンスライダー９４をスライド方向の他方側へとスライドさせながら、オープンスライダー９４の係合片９６とオープンロッカー９５の切欠部９９とが係合される。これにより、蓋体３の閉蓋状態を保持することができ、装置本体２の内部に塵埃等が侵入するのを防止することができる。
【００９１】
一方、蓋体３を閉蓋状態から開蓋状態とするには、解除ボタンを押圧し、作動部材が引張りコイルバネの付勢に抗してオープンスライダー９４をスライド方向の他方側へとスライドさせることで、このオープンスライダー９４の係合片９６とオープンロッカー９５の切欠部９９との係合を解除する。これにより、蓋体３が捻りコイルバネ９２に付勢されて開蓋状態となり、ディスクカートリッジをホルダー４に対して挿脱することが可能となる。
【００９２】
配線基板７は、図２に示すように、上述したジャック１１〜１６の他に、ＣＰＵ（中央演算処理装置）等を含む制御部（マイクロコンピューター）や、開閉検出スイッチ、ディスク検出スイッチ、回転検出スイッチ等を搭載し、上述した操作ボタン１８，１９，２０や操作スイッチ２１，２２等からの操作信号に基づいて、各部の駆動制御等を行っている。
【００９３】
ところで、配線基板７上の端縁部に沿って取り付けられた各ジャック１１〜１６は、プラグ挿脱口１１ａ〜１６ａからプラグを挿入する際のこじり強度を保つために、セットシャーシ６の枠体９０と一体に形成された保持部によって保持された構造となっている。これにより、筐体８内の省スペース化を図りながら、各ジャック１１〜１６を配線基板７上に強固に保持することが可能となっている。
【００９４】
特に、ＵＳＢジャック１６は、図１３に示すように、プラグ挿脱口１６ａとは反対側に切欠部１０５ａが形成された外筐１０５を有しており、セットシャーシ６の枠体９０には、この外筐１０５の切欠部１０５ａと係合される規制片部１０６が折り曲げ形成されており、プラグの挿入方向及び当該挿入方向と略直交する方向に対するＵＳＢジャック１６の移動を規制することが可能な構造となっている。
【００９５】
なお、ＵＳＢジャック１６は、配線基板７上にはんだ付けによって取り付けられており、９箇所のはんだ付けのうち、４箇所は外筐１０５を配線基板７に固定する補強はんだである。
【００９６】
以上のように、このディスクプレーヤ１では、セットシャーシ６の枠体９０に設けられた規制片部１０６がＵＳＢジャック１６のプラグ挿脱口１６ａとは反対側に形成された外筐１０５の切欠部１０５ａと係合されることによって、ＵＳＢジャック１６を配線基板７上に確実に保持することが可能となっている。また、このディスクプレーヤ１では、セットシャーシ６の枠体９０の一部が折り曲げられた規制片部１０６をＵＳＢジャック１６の外筐１０５に形成された切欠部１０５ａに嵌挿させるといったシンプルな構造を採用しているため、切欠部１０５ａに対する規制片部１０６の位置決めが容易であり、セットシャーシ６の強度を損なうことなく、省スペース化を図りながら、規制片部１０６によりプラグの挿入方向及び当該挿入方向と略直交する方向に対するＵＳＢジャック１６の移動を規制することが可能である。
【００９７】
なお、このＵＳＢジャック１６を配線基板７上に保持する部材としては、外筐１０５の切欠部１０５ａと係合される規制片部を有する部材であれば、上述したセットシャーシ６に限らず、板金やプラスチック、ダイカスト等からなる保持部材とすることも可能である。
【００９８】
以上のように構成されるディスクプレーヤにおいて、装置本体２にディスクカートリッジを装填する際には、先ず、蓋体３を開蓋状態とし、ディスクカートリッジをホルダー４の内部へと挿入する。
【００９９】
このとき、シャッタ開閉機構３０では、ディスクカートリッジがホルダー４に挿入されることによって、先ず、ロック解除片３１とロック片とが当接され、このロック解除片３１がロック片を押圧しながら、シャッタ部材に対するロック片の係止状態を解除する。次に、弾性変位片３２の先端部がシャッタ部材と係合され、ディスクカートリッジが更にホルダー４に挿入されることによって、シャッタ部材がスライドしながら、記録再生用の開口部が開放される。そして、ディスクカートリッジがホルダー４の底板部と当接された時点において、ディスクカートリッジの記録再生用の開口部は完全に開放された状態となる。
【０１００】
また、イジェクト機構３３では、図３及び図４に示すように、ディスクカートリッジがホルダー４に挿入されることによって、先ず、ディスクカートリッジがイジェクトレバー３４の押圧片部３７と当接される。次に、ディスクカートリッジがイジェクトレバー３４の押圧片部３７と当接された状態から、イジェクトレバー３４が引張りコイルバネ３５の付勢に抗して回動方向の他方側へと回動される。このとき、イジェクトレバー３４の一方に設けられた被係止片部４３が、ホルダー４の天板部４ａに設けられた係止凸部４４の傾斜面部４４ａと摺接しながら、イジェクトレバー３４が回動方向の他方側へと回動される。そして、ディスクカートリッジがホルダー４の底板部と当接された時点において、イジェクトレバー３４の被係止片部４３が、係止凸部４４の係止面部４４ｂまで移動し、この係止凸部４４に係止される。
【０１０１】
これにより、引張りコイルバネ３５により付勢されたイジェクトレバー３４の一方側への回動が係止されると共に、ディスクカートリッジがホルダー４に保持された状態となる。
【０１０２】
次に、蓋体３を閉蓋状態とすることによって、ディスクカートリッジがホルダー４ごと装置本体２の挿脱位置から装着位置へと移動される。このとき、ディスクカートリッジは、メカシャーシ５上に位置決めピン４８により位置決めされた状態で、光磁気ディスクがディスクテーブル５４上に装着される。以上により、装置本体２にディスクカートリッジを装填することができる。
【０１０３】
このディスクプレーヤ１では、装置本体２にディスクカートリッジが装填された状態において、スピンドルモータ５３によりディスクテーブル５４が回転駆動されて光磁気ディスクが回転されると、再生時には、送り機構５２により光ピックアップ５５が光磁気ディスクの径方向に送り動作されながら、この光ピックアップ５５が開口部から外方に臨む光磁気ディスクに対してレーザー光を照射し、情報信号の再生が行われる。
【０１０４】
一方、記録時には、ヘッド昇降機構７８により磁気ヘッド５６が開口部から外方に臨む光磁気ディスクに対して接触又は近接した状態となる。そして、光磁気ディスクを介して互いに対向配置された光ピックアップ５５及び磁気ヘッド５６が送り機構５２により光磁気ディスクの径方向に送り動作されながら、光ピックアップ５５が開口部から外方に臨む光磁気ディスクの一主面に対してレーザー光を照射すると共に、磁気ヘッド５６が開口部から外方に臨む光磁気ディスクの他主面に対して外部磁界を印加することによって、情報信号の記録が行われる。
【０１０５】
一方、ディスクカートリッジを装置本体２から取り出す際には、蓋体３を閉蓋状態から開蓋状態とする。
【０１０６】
このとき、イジェクト機構３３では、図３，図４及び図５に示すように、蓋体３を開蓋状態とすることによって、ディスクカートリッジがホルダー４ごと装着位置から挿脱位置へと移動される。そして、イジェクトレバー３４の他方に設けられたロック解除片部４６の先端部が、ラチェット板４７の先端部と当接され、ホルダー４に対して近接する方向に押圧される。このとき、支点凸部３９を支点としてイジェクトレバー３４の一方がホルダー４に対して離間する方向に押し上げられる。これにより、ホルダー４の係止凸部４４に対するイジェクトレバー３４の被係止片部４３の係止状態が解除される。そして、イジェクトレバー３４は、引張りコイルバネ３５により付勢されて回動方向の一方側へと回動し、押圧片部３７がディスクカートリッジを押圧しながら、ディスクカートリッジ１をホルダー４の外部へと排出する。
【０１０７】
ここで、イジェクトレバー３４は、支点凸部３９に対して一方に設けられた被係止片部４３が他方に設けられたロック解除片部４６よりも長くなるように形成されている。
【０１０８】
この場合、ロック解除片部４６のホルダー４に対して近接する方向の移動量が僅かであっても、支点凸部３９を支点として、被係止片部４３をホルダー４に対して離間する方向に大きく押し上げることができ、ホルダー４の係止凸部４４に対するイジェクトレバー３４の被係止片部４３の係止状態を確実に解除することができる。
【０１０９】
一方、イジェクトレバー３４は、支点凸部３９に対して他方に設けられたロック解除片部４６が一方に設けられた被係止片部４３よりも長くなるように形成されてもよい。
【０１１０】
この場合、被係止片部４３をホルダー４に対して離間する方向に押し上げる際に、支点凸部３９を支点として、ロック解除片部４６をホルダー４に対して近接する方向に小さな力で押圧すればよく、互いに当接されるロック解除片部４６の先端部とラチェット板４７の先端部とに負荷が生じるのを防止することができる。
【０１１１】
また、シャッタ開閉機構３０では、ディスクカートリッジがホルダー４から排出されることによって、先ず、記録再生用の開口部を閉塞する方向にシャッタ部材がスライドしながら、弾性変位片３２の先端部とシャッタ部材との係合が解除される。次に、ディスクカートリッジが更にホルダー４から排出されることによって、ディスクカートリッジの記録再生用の開口部が完全に閉塞された状態となる。そして、ロック解除片３１がロック片から離間した時点において、ロック片が再びシャッタ部材のスライドを係止する。以上により、ディスクカートリッジを装置本体２から取り出すことができる。
【０１１２】
以上のように、このディスクプレーヤ１では、上述したイジェクト機構７８がホルダー４に搭載された構造となっており、メカシャーシ５に負荷を与えることなく、ディスクカートリッジを装置本体２の外部へと適切に排出することが可能である。
【０１１３】
また、このディスクプレーヤ１では、メカシャーシ５の構成を簡素化することが可能であると共に、メカシャーシ５への負荷が少なくなることから、材料の選択の幅が広がり、メカシャーシ５を軽量なモールド成形されたプラスチック等により構成することも可能となる。
【０１１４】
以上のように、このディスクプレーヤ１では、メカシャーシ５がプラスチック等によりモールド成形されていることから、メカシャーシを板金により構成した場合と比べて、大幅な軽量化が可能であり、上述した各機構を構成するモータやギヤ等を取り付けるための部品等を大幅に削減することが可能である。特に、装置全体の小型化及び軽量化が望まれるポータブルディスクプレーヤ等の電子機器では、部品点数を削減し、組立工数を簡素化することによって、製造コストを大幅に低減することが可能である。
【０１１５】
なお、本発明は、上述したディスクプレーヤ１に限定されるものではなく、ディスク状記録媒体に対して音楽信号や映像信号、プログラム等の情報信号を記録及び／又は再生することが可能な記録及び／又は再生装置にも適用可能である。また、ディスク状記録媒体としては、音声信号や画像信号、プログラム等の情報信号が予め記録された再生専用の光ディスクや、これらの情報信号を１度だけ書き込むことが可能な追記型の光ディスク、これらの情報を繰り返し書き換えることが可能な書換型の光ディスク、磁気ディスク等を挙げることができ、これらディスク状記録媒体がディスクカートリッジの内部に回転可能に収納されたものであってもよい。
【０１１６】
【発明の効果】
以上詳細に説明したように、本発明によれば、装置全体の小型化及び軽量化が可能であり、部品点数を削減し、組立工数を簡素化することによって、製造コストを大幅に低減することができる。また、開口部の周囲に支持した支軸（回転軸）に沿って補強手段を備えているので、回転軸の回転により開口部を有するメカシャーシにたわみが生じるのを防止することができる。
【図面の簡単な説明】
【図１】  本発明を適用したディスクプレーヤが充電スタンドに載置された状態を示す斜視図である。
【図２】  上記ディスクプレーヤの構成を示す分解斜視図である。
【図３】  装置本体をホルダー側から見た平面図であり、ディスクカートリッジがホルダーから排出された状態を説明するための図である。
【図４】  装置本体をホルダー側から見た平面図であり、ディスクカートリッジがホルダーに挿入された状態を説明するための図である。
【図５】  装置本体をイジェクト機構側から見た要部側面図であり、イジェクト機構のロック解除動作を説明するための図である。
【図６】  メカシャーシに各機構が取り付けられた状態をディスクカートリッジが装着される面とは反対側から見た斜視図である。
【図７】  メカシャーシをディスクカートリッジが装着される面とは反対側から見た斜視図である。
【図８】  オープンロック機構を説明するための模式図である。
【図９】  オープンロッカーを示す斜視図である。
【図１０】  オープンロッカーが金属からなる蓋体に取り付けられた状態を示す要部断面図である。
【図１１】  オープンロッカーがプラスチックからなる蓋体に取り付けられた状態を示す要部断面図である。
【図１２】  オープンロッカーがプラスチックからなる蓋体に取り付けられた他の状態を示す要部断面図である。
【図１３】  ＵＳＢジャックがセットシャーシに保持された状態を示す要部斜視図である。
【符号の説明】
１  ディスクプレーヤ、２  装置本体、３  蓋体、３ａ  第１の面、３ｂ  第２の面、４  ホルダー、５  メカシャーシ、６  セットシャーシ、７  配線近板、８  筐体、１６  ＵＳＢジャック、１６ａ  プラグ挿脱口、３０  シャッタ開閉機構、３３  イジェクト機構、３４  イジェクトレバー、３５  引張りコイルバネ、３６  支軸、３７  押圧片部、３９  支点凸部、４２  レバーロック機構、４３  被係止片部、４４  係止凸部、４４ａ  傾斜面部、４４ｂ  係止面部、４５  レバーロック解除機構、４６  ロック解除片部、４７  ラチェット板、５０  ディスク回転駆動機構、５１  記録再生機構、５２  送り機構、５３  スピンドルモータ、５４  ディスクテーブル、５５  光ピックアップ、５６  磁気ヘッド、５７  ヘッド取付アーム、５９  送りベース、６０  主軸（スクリューネジ）、６１  副軸（回転軸）、７６  リブ、７７  支持部、７８  ヘッド昇降機構、９０  枠体、９１  一対の支持アーム、９２  捻りコイルバネ、９３  オープンロック機構、９４  オープンスライダー、９５  オープンロッカー、９５ａ  第１の固定片、９５ｂ  第２の固定片、１００  突起部、１０１  孔部、１０２  貫通孔、１０３  ネジ孔部、１０４  ネジ、１０５  外筐、１０５ａ  切欠部、１０６  規制片部
【図１】
0003903771.tif 000002
【図２】
0003903771.tif 000003
【図３】
0003903771.tif 000004
【図４】
0003903771.tif 000005
【図５】
0003903771.tif 000006
【図６】
0003903771.tif 000007
【図７】
0003903771.tif 000008
【図８】
0003903771.tif 000009
【図９】
0003903771.tif 000010
【図１０】
0003903771.tif 000011
【図１１】
0003903771.tif 000012
【図１２】
0003903771.tif 000013
【図１３】
0003903771.tif 000014